(57)【要約】【課題】  文書ファイルにクリアトナーをはじめとする特色記録剤を付加する設定を行うことのできる画像処理装置において、印刷設定により変動するフィニッシング処理対象領域に対して特色記録剤を付加する設定を行うことは容易ではなかった。【解決手段】  上記課題を解決するため、本発明における画像処理装置は、文書ファイルに設定された印刷設定情報及び該文書ファイルに設定されたフィニッシング処理を施すデバイスの構成情報を取得する取得手段と、前記取得手段により取得された印刷設定情報及びデバイスの構成情報を用いて、前記文書ファイルを印刷出力した用紙に対してフィニッシング処理を施す領域を特定する特定手段と、前記特定手段により特定された領域に該領域の補強をする記録剤を付加するためのデータを作成する作成手段とを有することを特徴とする。【選択図】  図１６
2012079236.tif 000002
【特許請求の範囲】
【請求項１】
文書ファイルに設定された印刷設定情報及び該文書ファイルに設定されたフィニッシング処理を施すデバイスの構成情報を取得する取得手段と、
前記取得手段により取得された印刷設定情報及びデバイスの構成情報を用いて、前記文書ファイルを印刷出力した用紙に対してフィニッシング処理を施す領域を特定する特定手段と、
前記特定手段により特定された領域に該領域の補強をする記録剤を付加するためのデータを作成する作成手段と、
を有することを特徴とする画像処理装置。
【請求項２】
前記作成手段で作成されたデータと前記文書ファイルを合成する合成手段と、
該合成されたデータを、前記デバイスに接続されているプリンタへ送信する送信手段を有することを特徴とする請求項１に記載の画像処理装置。
【請求項３】
前記作成手段は、前記特定手段により特定された領域に該領域の補強をする記録剤を付加するためのデータにより、テンプレートを作成することを特徴とする請求項１に記載の画像処理装置。
【請求項４】
前記特定手段にて、フィニッシング処理を施す領域を特定するために表示装置を用いることを特徴とする請求項１に記載の画像処理装置。
【請求項５】
前記取得手段は、前記文書ファイルを印刷出力する際に実行されることを特徴とする請求項１に記載の画像処理装置。
【請求項６】
前記印刷設定情報には、出力用紙サイズ、とじ方向、フィニッシングを施す領域、設定されたフィニッシング処理の種類、該フィニッシング処理に関連して設定された内容が含まれていること特徴とする請求項１に記載の画像処理装置。
【請求項７】
前記フィニッシング処理の種類には、少なくともパンチ、ステイプル、くるみ製本、中とじ製本が含まれることを特徴とする請求項６に記載の画像処理装置。
【請求項８】
前記補強のために付加する記録剤は、透明トナーであることを特徴とすることを特徴とする請求項１に記載の画像処理装置。
【請求項９】
文書ファイルに設定された印刷設定情報及び該文書ファイルに設定されたフィニッシング処理を施すデバイスの構成情報を取得する取得ステップと、
前記取得ステップにより取得された印刷設定情報及びデバイスの構成情報を用いて、前記文書ファイルを印刷出力した用紙に対してフィニッシング処理を施す領域を特定する特定ステップと、
前記特定ステップにより特定された領域に該領域の補強をする記録剤を付加するためのデータを作成する作成ステップと、
を有することを特徴とする画像処理装置の制御方法。
【請求項１０】
前記作成ステップで作成されたデータと前記文書ファイルを合成する合成ステップと、
該合成されたデータを、前記デバイスに接続されているプリンタへ送信する送信ステップを有することを特徴とする請求項９に記載の画像処理装置の制御方法。
【請求項１１】
前記作成ステップは、前記特定ステップにより特定された領域に該領域の補強をする記録剤を付加するためのデータにより、テンプレートを作成することを特徴とする請求項９に記載の画像処理装置の制御方法。
【請求項１２】
前記特定ステップにて、フィニッシング処理を施す領域を特定するために表示装置を用いることを特徴とする請求項９に記載の画像処理装置の制御方法。
【請求項１３】
前記取得ステップは、前記文書ファイルを印刷出力する際に実行されることを特徴とする請求項９に記載の画像処理装置の制御方法。
【請求項１４】
前記印刷設定情報には、出力用紙サイズ、とじ方向、フィニッシングを施す領域、設定されたフィニッシング処理の種類、該フィニッシング処理に関連して設定された内容が含まれていること特徴とする請求項９に記載の画像処理装置の制御方法。
【請求項１５】
前記フィニッシング処理の種類には、少なくともパンチ、ステイプル、くるみ製本、中とじ製本が含まれることを特徴とする請求項１４に記載の画像処理装置の制御方法。
【請求項１６】
前記補強のために付加する記録剤は、透明トナーであることを特徴とすることを特徴とする請求項９に記載の画像処理装置の制御方法。
【請求項１７】
請求項９に記載の画像処理装置の制御方法の各ステップをコンピュータに実行させるためのプログラム。
【発明の詳細な説明】
【技術分野】
【０００１】
本発明は、文書ファイルを特色記録剤を用いて印刷出力するための設定を行うための画像処理装置に関する。
【背景技術】
【０００２】
一般に、ホストコンピュータから供給される描画データを取り込み、この描画データに基づいて画像処理を行う画像処理装置がある。画像処理方式としては、例えば電子写真方式がある。この電子写真方式を用いる画像処理装置は、帯電器で感光ドラムを帯電させ、描画データに応じた光で感光ドラム上に静電潜像を形成する。この静電潜像に対して現像器でトナーを付着させて現像し、可視像とする。次に、この現像されたトナー像を感光ドラムから用紙に転写し、熱や圧力で用紙上に定着する。
【０００３】
こうした電子写真方式の画像処理装置において，プロセスカラーといわれる基本の記録剤の色であるＣＭＹＫ（シアン、マゼンタ、イエロー、ブラック）トナーを使用することに加え、印刷される画像の一部又は全部に特色記録剤も使用して印刷を行うことがある。
この特色記録剤の一種に透明トナーがある（特許文献１）。透明トナーを用いて印刷された画像部分では、表面の光の反射性能に変化が生じ、装飾効果を表現することができる。
【０００４】
また、印刷出力物に画像処理装置に付属したフィニッシャー等を用いてパンチ、ステイプル、製本等の後処理フィニッシング処理が施される位置を包含する領域に、画像処理装置が予め透明トナーを印刷する。すると、出力用紙に対してフィニッシング処理が施される領域を補強する効果も得ることが可能である。
【０００５】
特許文献１には、印刷出力用紙のパンチ穴開けが行われる所定の部分又はステイプル止めが行われる所定の部分を包含する領域に予め画像処理装置が透明トナーを付加する技術が提案されている。
【先行技術文献】
【特許文献】
【０００６】
【特許文献１】特開２００５−２３４３９５号
【発明の概要】
【発明が解決しようとする課題】
【０００７】
透明トナー等の特色記録剤を用いて、印刷出力物を補強したり印刷出力物に対して装飾効果を表現するためにはフィニッシャーで後処理フィニッシングが施される領域を予め正確に特定する必要がある。
しかし、フィニッシングが施される領域は、ユーザにより設定された出力用紙サイズ、印刷の向き、とじ方向、パンチ穴の種類、ステイプル位置等により決まるので、常に同じ領域ではない。
【０００８】
例えば、くるみ製本の背表紙に当たる領域に特色記録剤を付加して装飾効果を表現するためには、まず画像処理装置において、くるみ製本で表紙にくるまれる本文の総用紙枚数や１枚あたりの用紙の厚さ（坪量）などから本文の厚みを算出する。そして、算出結果から、くるみ製本を行う時の背表紙の全体面積を取得することで、特色記録剤による印刷領域を決定する必要がある。
【０００９】
また、印刷出力物に対して複数種類のフィニッシングを施すよう指定されている場合には、その全ての領域に対して記録剤を付加すべく付加領域を特定する必要がある。
【００１０】
しかし、従来技術では画像処理装置で常に同じ領域に記録剤を付加する。このため、くるみ製本の背表紙を印刷する際のように本文用紙枚数、１枚辺りの用紙の坪量（厚み）によって付加する領域を変動することには対応していなかった。また、特色記録剤を付加する範囲を事前にユーザが確認する手段や調整する手段はなかった。
【課題を解決するための手段】
【００１１】
上記課題を解決するため本発明における画像処理装置は、文書ファイルに設定された印刷設定情報及び該文書ファイルに設定されたフィニッシング処理を施すデバイスの構成情報を取得する取得手段と、前記取得手段により取得された印刷設定情報及びデバイスの構成情報を用いて、前記文書ファイルを印刷出力した用紙に対してフィニッシング処理を施す領域を特定する特定手段と、前記特定手段により特定された領域に該領域の補強をする記録剤を付加するためのデータを作成する作成手段とを有することを特徴とする。
【発明の効果】
【００１２】
印刷出力物にフィニッシングを施す際、印刷対象である文書ファイルを印刷する際の印刷設定により、フィニッシングを施す領域が変動する場合であっても、フィニッシンが施される領域に適切に特色記録剤を付加することができる。
これにより、各印刷設定で出力された印刷出力物それぞれに対し、適した領域に補強効果を得ることや、装飾効果を表現することが可能になる。
【図面の簡単な説明】
【００１３】
【図１】画像処理装置の構成を説明するための図である。
【図２】画像処理装置のホストコンピュータの構成を示す図である。
【図３】画像処理装置におけるホストコンピュータとプリンタの構成を説明するための図である。
【図４】文書ファイルに対して特色記録剤を付加する設定を行うためのユーザインターフェース画面の一例を示す図である。
【図５】文書ファイルに対して特色記録剤を付加する設定を行うためのユーザインターフェース画面の一例を示す図である。
【図６】文書ファイルに対して特色記録剤を付加する設定を行うためのユーザインターフェース画面の一例を示す図である。
【図７】文書ファイルに対して特色記録剤を付加する設定を行うためのユーザインターフェース画面の一例を示す図である。
【図８】文書ファイルに対して特色記録剤を付加する設定を行うためのユーザインターフェース画面の一例を示す図である。
【図９】文書ファイルに対して特色記録剤を付加する設定を行うためのユーザインターフェース画面の一例を示す図である。
【図１０】プリンタドライバに対する各種印刷設定を行うためのユーザインターフェース画面の一例を示す図である。
【図１１】プリンタドライバに対する各種印刷設定を行うためのユーザインターフェース画面の一例を示す図である。
【図１２】プリンタドライバに対する各種印刷設定を行うためのユーザインターフェース画面の一例を示す図である。
【図１３】プリンタドライバに対する各種印刷設定を行うためのユーザインターフェース画面の一例を示す図である。
【図１４】プリンタドライバに対する各種印刷設定を行うためのユーザインターフェース画面の一例を示す図である。
【図１５】プリンタドライバに対する各種印刷設定を行うためのユーザインターフェース画面の一例を示す図である。
【図１６】印刷処理を説明するフローチャートである。
【図１７】画像処理装置における印刷結果の一例を示す図である。
【図１８】フィニッシング領域を特定する処理を説明するフローチャートである。
【図１９】特色記録剤を付加する設定を行うためのユーザインターフェース画面の一例を示す図である。
【図２０】画像処理装置における特色記録剤を付加する設定を行うためのユーザインターフェース画面の一例を示す図である。
【図２１】画像処理装置における印刷結果の一例を示す図である。
【図２２】特色記録剤を付加する設定を行うためのユーザインターフェース画面の一例を示す図である。
【図２３】画像処理装置における印刷結果の一例を示す図である。
【発明を実施するための形態】
【００１４】
（実施例１）
以下、本発明を実施するための最良の形態について図面を用いて説明する。
なお、本実施例では、印刷出力物に対してフィニッシング処理を施した箇所を補強するために用いる特色記録剤として、透明トナーを用いる。
この透明トナーとは、透過性がある画像を付加する特徴を有する透明記録剤である。また、透明トナーを用いると、有色トナーのみ用いて行われた印刷とは異なった光沢感やつや感マット感等の特殊な質感を表現することができる。
また、同様にフィニッシング処理を施した箇所を補強できるのであれば、透明トナーに限らず他のトナー、インク等の記録剤を用いても構わないが、透明トナーを用いれば印刷出力物そのものが有する色味に与える影響が少ない。
【００１５】
＜システム構成及び動作＞
図１は本発明の実施例における画像処理装置を構成するホストコンピュータ１００である。
【００１６】
このホストコンピュータについて、以下説明する。
一般アプリケーション１０１は、ワードプロセシングやスプレッドシート、フォトレタッチ、ドローあるいはペイント、プレゼンテーション、テキスト編集などの機能を提供するアプリケーションプログラムである。
これらのアプリケーションプログラムは印刷機能を有している。
また、これらアプリケーションプログラムは、作成された文書データや画像データなどのアプリケーションデータを印刷する際、オペレーティングシステム（ＯＳ）により提供されるインターフェースを利用する。
【００１７】
すなわち、一般アプリケーション１０１は作成したデータを印刷するために、インターフェースを提供するＯＳの出力モジュールに対して予め定められるＯＳに依存する形式の出力コマンド（ＧＤＩ関数）を送信する。
この出力コマンドを受けた出力モジュールは、そのコマンドをプリンタ等の出力デバイスが処理可能な形式のデバイスコマンド（ＤＤＩ関数）に変換し、出力する。この出力デバイスが処理可能な形式は、出力デバイスの種類やメーカ、機種などによって異なる。
よって、出力デバイスごとにデバイスドライバが提供されており、ＯＳではそのデバイスドライバを利用してコマンドの変換を行う。
【００１８】
このコマンドの変更により印刷データが生成され、この印刷データがＪＬ（Ｊｏｂ  Ｌａｎｇｕａｇｅ）を用いることで印刷ジョブになる。
このＯＳとして、例えばマイクロソフト社のウインドウズ（Ｗｉｎｄｏｗｓ（登録商標））を利用する場合は、出力モジュールとしてＧＤＩ（Ｇｒａｐｈｉｃ  Ｄｅｖｉｃｅ  Ｉｎｔｅｒｆａｃｅ）と呼ばれるモジュールが用いられる。
電子原稿ライタ１０２は、デバイスドライバを改良したものであり、この（ホストコンピュータから構成される）画像処理装置を実現のために提供されるソフトウェアモジュールである。
ただし、この電子原稿ライタ１０２は特定の出力デバイスを目的としておらず、後述の製本アプリケーション１０４やプリンタドライバ１０６により処理可能な形式に出力コマンドを変換する。
【００１９】
このようにして電子原稿ライタ１０２は電子原稿ファイル１０３を生成する。
この電子原稿ライタ１０２による変換後の形式（以下「電子原稿形式」）は、ページ単位の原稿を詳細な書式で表現可能であればよい。
この標準形式としては、例えばアドビシステムズによるＰＤＦ形式や、ＳＧＭＬ形式などが採用される。
アプリケーション１０１が電子原稿ライタ１０２を利用する場合には、出力に使用するデバイスドライバとして電子原稿ライタ１０２を指定してから印刷を実行させる。
【００２０】
ただし、電子原稿ライタ１０２によって作成されたままの電子原稿ファイルは、電子原稿ファイルとして完全な形式を備えていない。
そのため、デバイスドライバとして電子原稿ライタ１０２を指定するのは製本アプリケーション１０４であり、その管理下でアプリケーションデータは電子原稿ファイルへ変換される。
製本アプリケーション１０４は、電子原稿ライタ１０２が生成した不完全な電子原稿ファイルを、後述する形式を備えた電子原稿ファイルとして完成させる。
【００２１】
以下、この点を明確に識別する必要がある際は、電子原稿ライタ１０２によって作成されたファイルを「電子原稿ファイル」と呼ぶ。
【００２２】
このようにプリンタのドライバとして電子原稿ライタ１０２を指定し、一般アプリケーション１０１によりこのデータを印刷させると、アプリケーションデータはアプリケーション１０１によって定義されたページを単位とする電子原稿形式に変換される。
【００２３】
そしてこの電子原稿形式に変換されたアプリケーションデータは、電子原稿ファイル１０３としてハードディスクなどの記憶媒体に格納される。
なお、ハードディスクは、コンピュータ１００が備えているローカルドライブであってもよいし、ネットワークに接続されている場合にはネットワーク上に提供されるドライブであっても良い。
【００２４】
製本アプリケーション１０４は、「電子原稿ファイル」を読み込み、読み込んだ「電子原稿ファイル」に対してクリアトナーのような特色記録剤を付加する設定を行う機能を利用者に提供する。
製本アプリケーション１０４によって編集された電子原稿ファイル１０３を印刷する際には、製本アプリケーション１０４によって電子原稿デスプーラ１０５が起動される。
【００２５】
この電子原稿デスプーラ１０５は、指定された電子原稿ファイルをハードディスクから読み出し、その電子原稿ファイルに記述された形式で各ページを印刷するために、ＯＳの出力モジュールに適合する出力コマンドを生成する。そして、不図示の出力モジュールに出力する。
【００２６】
その際に、出力デバイスとして使用されるプリンタ１０７用に対応するプリンタドライバ１０６がデバイスドライバとして指定される。
【００２７】
そして出力モジュールは、指定されたプリンタ１０７のプリンタドライバ１０６を用いて、受信した出力コマンドをプリンタ１０７で解釈実行可能なデバイスコマンドに変換する。変換されたデバイスコマンドはプリンタ１０７に送信され、プリンタ１０７によってそのコマンドに応じた画像が印刷される。
【００２８】
図２は、図１に示すホストコンピュータ１００のハードウェア構成を示すブロック図である。
図２において、ＣＰＵ２０１は、ＲＯＭ２０３のプログラム用ＲＯＭに記憶されたプログラムを実行する。あるいは、ＣＰＵ２０１はハードディスク２１１からＲＡＭ２０２にロードされたＯＳや一般アプリケーション１０１、製本アプリケーション１０４などのプログラムを実行する。
そして、図１のソフトウエア構成や、後述するフローチャートの手順を実現する。
【００２９】
ＲＡＭ２０２はＣＰＵ２０１の主メモリ、ワークエリア等として機能する。キーボードコントローラ（ＫＢＣ）２０５は、キーボード２０９や不図示のポインティングデバイスからのキー入力を制御する。ＣＲＴコントローラ（ＣＲＴＣ）２０６は表示部２１０の表示を制御する。なお、この表示部２１０はＣＲＴに限定されず、例えば液晶、プラズマなどでも良い。
【００３０】
ディスクコントローラ２０７は、ブートプログラム、種々のアプリケーション、フォントデータ、ユーザファイル、編集ファイル等を記憶するハードディスク２１１や不図示のフロッピー（登録商標）ディスク等との間でのアクセスを制御する。ＰＲＴＣ２０８は、接続されたプリンタ１０７との間の信号の交換を制御する。ＮＣ２１２はネットワークに接続されて、ネットワークに接続された他の機器との通信制御処理を実行する。
【００３１】
次に図３を用いて本実施例に適用可能なホストコンピュータ１００とプリンタ１０７とを有する画像処理装置の構成について説明する。
なお、ホストコンピュータ１００の構成に関しては、図２を参照して説明した通りであるので、ここでは共通する位置には同じ番号を付して説明を省略する。またプリンタ１０７は、ホストコンピュータ１００に接続されたローカルプリンタであっても、あるいはサーバに接続されたプリンタの場合であってもいずれの場合にも適用可能であるものとする。
【００３２】
なお、この画像処理装置は、単体の機器であってもよいし、複数の機器からなるシステムであってもよい。また、ＬＡＮ，ＷＡＮ等のネットワークを介して接続され処理が行われるシステムであってもよい。
【００３３】
プリンタ１０７はＣＰＵ３１２により制御される。
このＣＰＵ３１２はＲＯＭ３１３のプログラム用ＲＯＭに記憶された制御プログラム、あるいは外部メモリ３１４に記憶されＲＡＭ３１９にロードされた制御プログラムに基づき画像信号値を出力する。
この画像信号値はシステムバス３１５に接続される印刷部（プリンタエンジン）３１７に出力情報として画像信号を出力する。
このＲＯＭ３１３のプログラム用ＲＯＭにはＣＰＵ３１２の制御プログラムが記憶されている。
ＲＯＭ３１３のフォント用ＲＯＭには出力情報を生成する際に使用するフォントデータ等が記憶されている。
【００３４】
そして、ＲＯＭ３１３のデータ用ＲＯＭにはハードディスク等の外部メモリ３１４が設けられていないプリンタの場合にはホストコンピュータ１００で利用される情報等が記憶されている。
ＣＰＵ３１２は入力部３１８を介してホストコンピュータ１００との間での通信処理が可能となっており、プリンタ１０７の情報等をホストコンピュータ１００に通知できる。
ＲＡＭ３１９は、ＣＰＵ３１２の主メモリや、ワークエリア等として機能するＲＡＭである。
また、図示しない増設ポートに接続されるオプションＲＡＭにより、そのメモリ容量を拡張できるように構成されている。
なお、ＲＡＭ３１９は、出力情報の展開領域、環境データ格納領域、ＮＶＲＡＭ等に用いられる。
【００３５】
前述したハードディスク（ＨＤ），ＩＣカード等の外部メモリ３１４は、メモリコントローラ（ＭＣ）３２０により、そのアクセスが制御されている。外部メモリ３１４はオプションとして接続され、フォントデータ、エミュレーションプログラム、フォームデータ等を記憶する。また、前述した外部メモリ３１４は１個に限らず、複数個備えられてもよい。
【００３６】
さらに外部メモリ３１４は内蔵フォントに加えてオプションカード、言語系の異なるプリンタ制御言語を解釈するプログラムを格納した外部メモリを複数接続できるように構成されてもよい。また、図示しないＮＶＲＡＭを有し、操作パネル２１からのプリンタモード設定情報を記憶するようにしてもよい。
操作部３２１には、操作のためのスイッチ及びＬＥＤ表示器等が配されている。
【００３７】
ここで、ホストコンピュータ１００は、図１を用いて示したファイル、アプリケーション、デスプーラ及びドライバ等を備えているものとする。
そして、このアプリケーション１０１により生成された文書ファイル（アプリケーションデータ）は、電子原稿ライタ１０２を介して電子原稿ファイル１０３に生成される。
【００３８】
電子原稿ファイル１０３は、製本アプリケーション１０４によりオープン（ファイルオープン）することが可能である。製本アプリケーション１０４は、例えば、図１０に示すような操作画面を表示部（ＣＲＴ）２１０に表示させる。製本アプリケーション１０４と汎用の一般アプリケーション１０１との大きな違いは、製本アプリケーション１０４が通常プリンタドライバ１０６が提供する印刷設定機能を有していることである。
【００３９】
この機能により製本アプリケーション１０４は汎用アプリケーション１０１とは異なる特徴を有する。例えば、文書のページ順の入替えや複製（コピー）、削除などの編集機能に加え、ステイプル・パンチ穴などのプリンタ１０７における機能設定を電子原稿ファイルに対して行うことができ、指定したプリンタを使用して印刷することが可能である。
【００４０】
詳細を以下に述べる。
図４〜図９は、本実施例における製本アプリケーション１０４が提供する操作画面の一例を示している。
このウィンドウでは、製本アプリケーション１０４に取り込んだ電子原稿ファイルに対して、特色記録剤を付加するための設定をする。またこのウィンドウを用いてプリンタドライバに対する各種印刷設定することが可能である。
【００４１】
図４〜図９の４０１は製本アプリケーション１０４に取り込みたいＰＤＦ（Ｐｏｒｔａｂｌｅ  Ｄｏｃｕｍｅｎｔ  Ｆｏｒｍａｔ、ＰＤＦはアドビ社の登録商標）などのアプリケーションデータを指定するためのボタンである。ここでアプリケーションデータを指定して製本アプリケーション１０４に取り込むとアプリケーションデータの内容がエリア４０９に表示される。
図４〜図９の４０２は編集後の電子原稿ファイルをホストコンピュータ１００のメモリ上に保存するためのボタンである。
図４〜図９の４０４はエリア４０９において表示されている電子原稿ファイルを３Ｄ形式で表示させるための切替えボタンである。
【００４２】
図４〜図９の４０５は取り込んだ電子原稿ファイルを印刷するプリンタ（プリンタドライバ）を選択するためのエリアである。このエリアに表示されていて、ホストコンピュータ１００に登録されているプリンタドライバの中から印刷に使用したいプリンタを選択することができる。製本アプリケーション１０４は、プリンタドライバが選択されると、このプリンタドライバからプリンタの構成についての情報取得を行い、ハードディスク（ＨＤ）２１１の一次記憶領域に保持する。
【００４３】
図４〜図９の４０６はプリンタドライバに対する各種印刷設定を一括して行うための画面を表示するためのボタンである。このボタン４０６が押下されると、製本アプリケーション１０４が提供する図１０〜図１５の画面が表示される。
図１０〜図１５の画面を介して、ユーザから出力用紙サイズ、印刷の向き、ステイプル・パンチ・くるみ製本・中とじ製本などのプリンタに付属したデバイスであるフィニッシャーの機能に関する詳細な印刷設定が入力される。
【００４４】
選択されたプリンタで印刷された印刷出力物は、接続されているデバイス（フィニッシャー）によりフィニッシング処理を施される。
なお、図１０〜図１５の印刷設定画面は図４〜図９の４０５においてプリンタ選択が行われた際に取得したデバイスの構成情報を基に、選択されたプリンタに接続されているデバイスに固有な機能で利用可能な機能のみを選択可能な状態となる。
そして、ユーザから４０３のボタンを押下されることにより前述した特色記録剤を付加する設定が行われた電子原稿ファイルを前述した印刷設定で印刷することが可能である。
【００４５】
４０７は出力用紙の表面性を指定するためのエリアで、ここではＧｒｏｓｓ  Ｃｏａｔｅｄが指定されている。
４０８、４０９はエリア４１０に表示している電子原稿に対して、特色記録剤を付加する方法を指定するためのエリアである。
ユーザにより、画像処理装置に予め保存されているテンプレートが選ばれると、電子原稿ファイルを印刷出力する際に、電子原稿ファイルの所望の領域に特色記録剤を付加することができる。
【００４６】
なお、特色記録剤を付加する領域の指定方法としては、テンプレート選択方式だけでなく、任意の形状の描画オブジェクトを指定する形でも可能であるのは言うまでもない。
テンプレートの種類としては、スタンプ、テクスチャ、フィニッシング領域コートがあり、ユーザはこれらの中から所望の種類のテンプレートを設定可能である。
【００４７】
図４は、テンプレートとして「スタンプ」が選択された場合を示している。この場合、エリア４０９には、画像処理装置に予め保存された「スタンプ」のテンプレートアイコンがリストされ、選択可能な状態となる。
【００４８】
ユーザによって、この中から所望の「スタンプ」アイコンが選択され、ドラッグ＆ドロップ操作等によりエリア４１０に表示されている電子原稿ファイルの所望の領域に対して、選択されたスタンプを付加するための設定が行われる。また図５は、テンプレートとして「テクスチャ」が選択された場合を示したウィンドウ表示例である。
図６は、テンプレートとして「フィニッシング領域コート」が選択された場合を示したウィンドウ表示例である。
【００４９】
「フィニッシング領域コート」は、図１１の「仕上げ」タブが選択された時に表示される画面において、フィニッシャー機能のいずれかが設定されている場合にのみ選択可能となるテンプレートである。
【００５０】
製本アプリケーション１０４は、テンプレートの種類として、「フィニッシング領域コート」４０８が選択されると、エリア４０９に、図１０〜図１５で設定されているフィニッシャー機能に対応するテンプレートアイコンを表示する。ユーザは、このテンプレートアイコンをエリア４１０に表示されている電子原稿ファイルの任意の領域に対してドラッグ＆ドロップ操作等で設定する。この設定によりプリンタ付属のフィニッシャーによって出力用紙のフィニッシングが行われる領域に対して透明記録剤で画像を形成する指示を行うことが可能である。
【００５１】
なお、この「フィニッシング領域コート」テンプレート選択時にエリア４０９に表示されるテンプレートアイコンの内容は、図５の「仕上げ」タブが選択された時に表示される画面におけるフィニッシングの設定内容によって、随時自動更新される。また、選択中のフィニッシング機能に関係のないテンプレートアイコンは表示されない。
これにより、ユーザの操作性を向上できる。
【００５２】
図６は、フィニッシング機能として「ステイプル」が設定されている場合のウィンドウ表示例である。この場合、エリア４０９にはステイプル位置に対して特色記録剤を付加するためのテンプレートアイコンが１つだけ表示されていることがわかる。本アイコンは、図１１の「とじ方向」や「ステイプルの領域」の設定内容によらず、「ステイプル」が設定された時に表示される共通のアイコンである。
また、図１１で「ステイプル指定」がされた場合において、「ステイプルしない」以外が選択されている場合に表示されるアイコンである。
【００５３】
図７は、図１１においてフィニッシング機能として「パンチ」が設定されている場合のウィンドウ表示例である。この場合、エリア４０９にはパンチ位置に対して特色記録剤を付加するためのテンプレートアイコン１つが表示され、詳細が設定可能な状態である。
【００５４】
図８は、図１２においてフィニッシング機能として「くるみ製本」が設定されている場合のウィンドウ表示例である。この場合、エリア４０９には背表紙に対して特色記録剤を付加するためのテンプレートアイコン１つが表示され、詳細が設定可能な状態である。
図９は、図１３においてフィニッシング機能として「中とじ製本」が設定されている場合のウィンドウ表示例である。この場合、エリア４０９に中とじ製本時の折り目に対して特色記録剤を付加するためのテンプレートアイコンが１つ表示され、詳細が設定可能な状態である。
【００５５】
図１６は製本アプリケーション１０４における印刷処理を示すフローチャートである。
本フローチャートによって示されるコンピュータ１００の機能は、ＣＰＵ２０１が、プログラムをＲＡＭ２０２にロードして実行することにより実現される。
ユーザによって図４〜図９の４０３が押下されることで、製本アプリケーション１０４は印刷実行の指示を受ける（ステップＳ６０１）。次に、印刷対象の電子原稿ファイルに対して、フィニッシング機能の指示が行われているか否かを判定する（ステップＳ６０２）。ここで、フィニッシング指示がされている場合、電子原稿ファイルに対して、「フィニッシング領域コート」のテンプレートが設定されているか否か（フィニッシング領域に対する特色記録剤の付加が指定されているか否か）を判定する（ステップＳ６０３）。
【００５６】
フィニッシングが施される予定の領域に記録剤の付加をすることが指定されている場合にはステップＳ６０４へ進む。そして、出力用紙のフィニッシングが行われる領域（すなわち特色記録剤を付加する対象領域）を特定する処理に進む。
次に、ステップＳ６０４で特定した付加対象領域に対して特色記録剤により画像が形成されるように電子原稿ファイルに付与（合成）する描画データ（以下、クリア描画オブジェクト）を生成し、電子原稿ファイルに付与（合成）する（ステップＳ６０５）
そして、ステップＳ６０６において、電子原稿デスプーラ１０５は、前記クリア描画オブジェクトを含む電子原稿ファイルから、ＯＳの出力モジュールに適合する出力コマンドを生成し、プリンタドライバ１０６に送信する。
【００５７】
プリンタドライバ１０６は、前記出力コマンドをプリンタ１０７で解釈実行可能なデバイスコマンドに変換し、プリンタ１０７へ送信する（ステップＳ６０７）。
【００５８】
図１７（ａ）〜（ｃ）は、本実施例における印刷出力物の一例である。
いずれも、図４〜図９のエリア４０８において、「フィニッシング領域コート」が選択され、エリア４０９に表示されたテンプレートアイコンをエリア４１０のプレビュー領域の任意の領域にドラッグ＆ドロップ操作で設定された場合の印刷実行結果を示している。
【００５９】
図１７（ａ）で示すように、出力用紙のパンチ、ステイプル位置を包含する領域に特色記録剤が付加され、印刷出力物にコーティングがされている。また、図１７（ｃ）は、くるみ製本の背表紙領域を特色記録剤でコーティングされた出力結果例を示している。くるみ製本の場合、上記方法により、背表紙の補強効果だけでなく「テープバインディング」のような見た目になり、印刷出力物の見た目もよくなり、付加価値を上げることができるという効果もある。
【００６０】
なお、図１７（ａ）の例では、フィニッシング領域を包含する領域に特色記録剤を付加することで、印刷出力物をコーティングした例を示しているが、図１７（ｂ）に示すように印刷出力物に対して帯状に特色記録剤を付加することで、帯状にコーティングを行ってもよい。
【００６１】
図１８は、図１６のフローチャートのステップＳ６０４で説明したフィニッシング領域特定処理の詳細を示すフローチャートである。
【００６２】
まず、図１０〜図１５において設定されているフィニッシング機能に関連する全ての印刷設定情報を読み込む（ステップＳ８０１）。ここで印刷設定情報とは、図１０〜図１５の印刷設定画面でユーザにより設定されている、出力用紙サイズ、とじ方向、ステイプルの領域、パンチ穴の種類、くるみ表紙の用紙サイズ、背幅量などの印刷設定内容のことである。
そして、これらのフィニッシング機能に関連する全ての印刷設定情報の読み込みが終わる。すると次に、これらの情報を一時記憶領域に保持する図４〜図９の４０５で選択中のデバイスの構成情報を読み込む（ステップＳ８０２）。
【００６３】
ここで読み込むデバイス構成情報とは、パンチ位置情報、パンチ穴の大きさ、ステイプル位置情報、ステイプル針の大きさ等のプリンタに付属したフィニッシングデバイス固有のフィニッシング情報のことである。そして、以上で取得した印刷設定情報及びデバイス構成情報に応じて、印刷出力物に対してフィニッシングが行われる領域と、特色記録剤を付加する付加対象領域を特定する（ステップＳ８０３）。例えば、フィニッシングの設定が「くるみ製本」の場合には、特色記録剤の付加対象領域は、背表紙領域となる。
【００６４】
この場合、製本アプリケーション１０４は、図１２のエリア５０４で指定された「くるみ表紙の用紙サイズ」と、図１４のエリア５０５で指定された「背幅量」とから付加対象領域を算出する。
【００６５】
「背幅量」がユーザ指定されていない場合には、以下のように背幅の厚みを算出する。
すなわち製本アプリケーション１０４が、電子原稿ファイルに含まれるページ数から、くるみ製本時の本文の総用紙枚数、図１５のエリア５０６で指定されている用紙種類、デバイスから取得した用紙１枚あたりの厚さ（坪量）等から背幅の厚みを算出する。
【００６６】
そして、その厚み（幅）から特色記録剤を付加する面積を決定する。
フィニッシングの設定が「ステイプル」の場合、製本アプリケーション１０４は以下の情報を取得する。
すなわち、図１０のエリア５０１で指定された「出力用紙サイズ」、図１１のエリア５０２で指定された「とじ方向」、エリア５０３の「ステイプル位置」と、デバイス構成情報として取得した「ステイプル位置情報」、「ステイプル針の大きさ情報」を取得する。
そして、これらの情報から特色記録剤の付加対象領域を算出する。
【００６７】
なお、図４〜図９では、フィニッシング領域の補強のために特色記録剤を付加する指示を行うための手段としてテンプレートによる方法を説明した。しかし、この方法に限らず、指示手段としては図９に示すようなチェックボックス形式でもよい。この場合、予め本チェックボックスをＯＮにしておくことで、ユーザは出力用紙のフィニッシングが施される領域に対して、特色記録剤による補強、装飾効果を得ることが可能となる。
【００６８】
また、本実施例における画像処理装置は、設定されているフィニッシングが２種類以上ある場合にも対応する。つまり、複数設定されている全ての領域に対して特色記録剤による付加画像が形成されるように電子原稿ファイルに付与する描画データ（クリア描画オブジェクト）を自動生成することもできる。
【００６９】
図２０は、図１１においてステイプル及びパンチ穴の両方が設定されている場合に、テンプレートとして「フィニッシング領域コート」を選択した場合のウィンドウ表示例を表示する。
さらにアプリケーション１０４は、エリア４０９に対して、ステイプル位置、パンチ穴位置それぞれに対して特色記録剤の付加を指定するためのテンプレートアイコンだけでなく、両方のフィニッシングに対して透明記録剤の付加を指定するためのアイコンも表示する。そして、ユーザがこの設定を可能な状態にする。
【００７０】
ユーザは、ステイプル位置とパンチ穴の領域の両方を補強したい場合には、このアイコンを電子原稿ファイルに対して設定すればよい。
図１１は、ステイプル位置及びパンチ穴位置の両方を補強する指示をした場合の出力結果例である。
【００７１】
さらに、本実施例における画像処理装置は、フィニッシング領域に対して実際に特色記録剤を付加する前に図４〜図９のエリア４１０のプレビュー領域で確認することが可能である。図２２（ａ）は、プレビュー表示例を示した図である。ユーザは、特色記録剤による付加対象領域をプレビューで確認しながら、図２２（ｂ）に示した初期設定ＵＩにより、対象領域を調節することができる。それにより、試し印刷等することなく、容易に意図した領域に特色記録剤の付加を行うことが可能となる。
【００７２】
また本実施例における画像処理装置は、スタンプ・テクスチャ・任意オブジェクトなど印刷出力物に付加価値をつけるために付加される特色記録剤の設定と、フィニッシング領域を補強するために付加される特色記録剤の設定が同時に設定されている場合も対応する。
【００７３】
図２３（ａ）は最終出力物である印刷出力物に付加価値をつけるための特色記録剤設定も行われていることを考慮せずに、特色記録剤を用いてステイプル位置の補強を行った場合の例である。この例ではユーザが予め電子原稿ファイルに対して設定したテクスチャの一部に、補強用の特色記録剤が重なってしまい、最終成果物である印刷出力物の品位が損なわれてしまっていることがわかる。
【００７４】
一方、図２３（ｂ）は、本実施例の画像処理装置において、テクスチャ形式のテンプレートが設定されている電子原稿ファイルに対して、ステイプル位置の補強を行った結果を示した例である。このように、既に電子原稿ファイルに対して付与されているテクスチャに重ならないように、かつ、フィニッシング領域の補強効果は損なわないように最適な補強領域を自動選択していることがわかる。
以上のように本実施例１の画像処理装置は、編集対象の文書ファイルに合成する描画データ（クリア描画オブジェクト）の作成を、テンプレートを介して指示することができる。
【００７５】
さらに、ユーザが文書ファイルの印刷に利用するプリンタドライバに対して、プリンタに付属されたフィニッシャーによるフィニッシング処理（後処理）の設定を行った際には、自動的に補強用テンプレートを登録することができる。
【００７６】
そして、この登録された補強用テンプレートが指定されると、印刷出力時にプリンタを用いて印刷設定内容と、デバイス構成情報とから出力用紙のフィニッシングを施す対象領域を特定することができる。特定された対象領域には特色記録剤による画像が形成されるように電子原稿ファイルに付加する描画データが生成される。
よってユーザは、上記したように生成された補強用テンプレートを用いて指示するだけで印刷出力用紙のフィニッシングが行われる領域に対して特色記録剤による補強効果及び／又は装飾効果を得ることができる。
また、補強用テンプレートは、電子原稿ファイルに合成する描画データを出力時に生成するため、予め何種類ものパターンのテンプレートパターンをメモリ内に登録しておく必要がない。よって、ホストコンピュータのメモリの削減にもつながるという効果がある。
さらに、本実施例の画像処理装置は、特色記録剤がどのように付加されるかを事前にプレビューで確認でき、付加対象領域を調整することができる。
【００７７】
（その他の実施例）
本発明の各工程は、ネットワーク又は各種記憶媒体を介して取得したソフトウエア（プログラム）をパソコン等の処理装置（ＣＰＵ、プロセッサ）にて実行することでも実現できる。
【図１】
2012079236.tif 000003
【図２】
2012079236.tif 000004
【図３】
2012079236.tif 000005
【図４】
2012079236.tif 000006
【図５】
2012079236.tif 000007
【図６】
2012079236.tif 000008
【図７】
2012079236.tif 000009
【図８】
2012079236.tif 000010
【図９】
2012079236.tif 000011
【図１０】
2012079236.tif 000012
【図１１】
2012079236.tif 000013
【図１２】
2012079236.tif 000014
【図１３】
2012079236.tif 000015
【図１４】
2012079236.tif 000016
【図１５】
2012079236.tif 000017
【図１６】
2012079236.tif 000018
【図１７】
2012079236.tif 000019
【図１８】
2012079236.tif 000020
【図１９】
2012079236.tif 000021
【図２０】
2012079236.tif 000022
【図２１】
2012079236.tif 000023
【図２２】
2012079236.tif 000024
【図２３】
2012079236.tif 000025